(57)【要約】【課題】新規のパワーコンディショナ装置として、特に新式のパワーコンディショナ装置を取り付ける際に好適な、太陽光発電システムを備えた建物におけるパワーコンディショナ装置の交換方法を提供する。【解決手段】太陽光発電システムを備えた建物１の外壁１ｂの表面から旧パワーコンディショナ装置であるパワーコンディショナ装置３と、その取付金具を撤去する工程と、外壁１ｂの表面に横架材６，６を固定する工程と、横架材６，６に新規のパワーコンディショナ装置であるパワーコンディショナ装置３０を、その取付金具７を介して取り付ける工程とから成る構成とされている。【選択図】図２
2016174451.tif 000002
【特許請求の範囲】
【請求項１】
太陽光発電システムを備えた建物の外壁の表面から旧パワーコンディショナ装置と、その取付金具を撤去する工程と、
前記外壁の表面に横架材を固定する工程と、
前記横架材に新規のパワーコンディショナ装置を、その取付金具を介して取り付ける工程とから成ることを特徴とする太陽光発電システムを備えた建物におけるパワーコンディショナ装置の交換方法。
【請求項２】
前記横架材は、垂直方向に間隔をあけて、少なくとも２つ設けることを特徴とする請求項１に記載の太陽光発電システムを備えた建物におけるパワーコンディショナ装置の交換方法。
【請求項３】
前記外壁の表面の前記旧パワーコンディショナ装置の配線用の孔を塞ぎ部材で塞いだ後に、前記横架材を固定し、前記塞ぎ部材を覆うように前記新規のパワーコンディショナ装置を取り付けることを特徴とする請求項１又は２に記載の太陽光発電システムを備えた建物におけるパワーコンディショナ装置の交換方法。
【請求項４】
前記外壁における前記新規のパワーコンディショナ装置を取り付ける位置の近傍に、新規の配線用の孔を設けることを特徴とする請求項１乃至３のいずれか１項に記載の太陽光発電システムを備えた建物におけるパワーコンディショナ装置の交換方法。
【請求項５】
前記外壁は、タイル外壁であり、前記横架材は、固定部材により、当該タイル外壁の目地部分に固定することを特徴とする請求項１乃至４のいずれか１項に記載の太陽光発電システムを備えた建物におけるパワーコンディショナ装置の交換方法。
【請求項６】
前記固定部材を固定する前記タイル外壁の目地部分の裏面には、枠材が設けられており、当該固定部材を、当該枠材まで貫通させて固定することを特徴とする請求項５に記載の太陽光発電システムを備えた建物におけるパワーコンディショナ装置の交換方法。
【請求項７】
前記横架材には、前記固定部材を通すための孔が設けられたものを用いることを特徴とする請求項５又は６に記載の太陽光発電システムを備えた建物におけるパワーコンディショナ装置の交換方法。
【請求項８】
太陽光発電システムを備えた建物の外壁の表面に横架材が固定され、当該横架材にパワーコンディショナ装置が、その取付金具を介して取り付けられていることを特徴とするパワーコンディショナ装置の取付構造。
【請求項９】
前記横架材は、垂直方向に間隔をあけて、少なくとも２つ設けられていることを特徴とする請求項７に記載のパワーコンディショナ装置の取付構造。
【請求項１０】
前記外壁における前記パワーコンディショナ装置が取り付けられた位置の近傍に、配線用の孔が設けられていることを特徴とする請求項８又は９に記載のパワーコンディショナ装置の取付構造。
【請求項１１】
前記外壁は、タイル外壁であり、前記横架材は、固定部材により、当該タイル外壁の目地部分に固定されていることを特徴とする請求項８乃至１０のいずれか１項に記載のパワーコンディショナ装置の取付構造。
【請求項１２】
前記固定部材を固定する前記タイル外壁の目地部分の裏面には、枠材が設けられており、当該固定部材は、当該枠材まで貫通させて固定されていることを特徴とする請求項１１に記載のパワーコンディショナ装置の取付構造。
【請求項１３】
前記横架材には、前記固定部材を通すための孔が設けられたものが用いられていることを特徴とする請求項１１又は１２に記載のパワーコンディショナ装置の取付構造。
【発明の詳細な説明】
【技術分野】
【０００１】
本発明は、太陽光発電システムを備えた建物におけるパワーコンディショナ装置の交換方法、及びパワーコンディショナ装置の取付構造に関するものである。
【背景技術】
【０００２】
従来から、太陽光発電システムを備えた建物においては、当初は、太陽光発電装置から発電された電力を、ＤＣ−ＡＣインバータを内蔵したパワーコンディショナ装置を設置し、その建物内のみで消費することから始まった（例えば特許文献１〜４等を参照）。
【先行技術文献】
【特許文献】
【０００３】
【特許文献１】特開２００１−０４４４８２号公報
【特許文献２】特開２００１−２８４６２６号公報
【特許文献３】特開２００５−３３６９２９号公報
【特許文献４】特開２０１１−０１７１７５号公報
【発明の概要】
【発明が解決しようとする課題】
【０００４】
しかしながら、このような太陽光発電システムにおけるパワーコンディショナ装置は、時代が進むにつれ、電力会社への売電が可能なように別のＤＣ−ＡＣインバータも内蔵されたものとなり、最近では、建物に蓄電池を設置することも普及し始めたことから、蓄電池に太陽光発電装置で発電された電力を蓄電することが可能なように、ＤＣ−ＤＣコンバータも内蔵されたものも開発されている。
【０００５】
そのため、既に太陽光発電システムを備えた建物では、旧式のパワーコンディショナ装置から、新式のパワーコンディショナ装置に交換する需要が見込まれるし、新たに太陽光発電システムを備える建物では、その新式のパワーコンディショナ装置に対応した取付構造が要求される。
【０００６】
そこで、本発明は、新規のパワーコンディショナ装置として、特に新式のパワーコンディショナ装置を取り付ける際に好適な、太陽光発電システムを備えた建物におけるパワーコンディショナ装置の交換方法、及びパワーコンディショナ装置の取付構造を提供することを目的としている。
【課題を解決するための手段】
【０００７】
前記目的を達成するために、本発明の太陽光発電システムを備えた建物におけるパワーコンディショナ装置の交換方法は、太陽光発電システムを備えた建物の外壁の表面から旧パワーコンディショナ装置と、その取付金具を撤去する工程と、前記外壁の表面に横架材を固定する工程と、前記横架材に新規のパワーコンディショナ装置を、その取付金具を介して取り付ける工程とから成ることを特徴とする。
【０００８】
ここで、前記横架材は、垂直方向に間隔をあけて、少なくとも２つ設けるとよい。
【０００９】
また、前記外壁の表面の前記旧パワーコンディショナ装置の配線用の孔を塞ぎ部材で塞いだ後に、前記横架材を固定し、前記塞ぎ部材を覆うように前記新規のパワーコンディショナ装置を取り付けるとよい。
【００１０】
さらに、前記外壁における前記新規のパワーコンディショナ装置を取り付ける位置の近傍に、新規の配線用の孔を設けるとよい。
【００１１】
また、前記外壁は、タイル外壁の場合もあり、この場合は、前記横架材は、固定部材により、当該タイル外壁の目地部分に固定するとよい。
【００１２】
その場合、前記固定部材を固定する前記タイル外壁の目地部分の裏面には、枠材が設けられており、当該固定部材を、当該枠材まで貫通させて固定するとよい。
【００１３】
また、前記横架材には、前記固定部材を通すための孔が設けられたものを用いるとよい。
【００１４】
本発明のパワーコンディショナ装置の取付構造は、太陽光発電システムを備えた建物の外壁の表面に横架材が固定され、当該横架材にパワーコンディショナ装置が、その取付金具を介して取り付けられていることを特徴とする。
【００１５】
ここで、前記横架材は、垂直方向に間隔をあけて、少なくとも２つ設けられているとよい。
【００１６】
また、前記外壁における前記パワーコンディショナ装置が取り付けられた位置の近傍に、配線用の孔が設けられているとよい。
【００１７】
さらに、前記外壁は、タイル外壁であり、前記横架材は、固定部材により、当該タイル外壁の目地部分に固定されているとよい。
【００１８】
また、前記固定部材を固定する前記タイル外壁の目地部分の裏面には、枠材が設けられており、当該固定部材は、当該枠材まで貫通させて固定されているとよい。
【００１９】
また、前記横架材には、前記固定部材を通すための孔が設けられたものが用いられているとよい。
【発明の効果】
【００２０】
このような本発明の太陽光発電システムを備えた建物におけるパワーコンディショナ装置の交換方法は、太陽光発電システムを備えた建物の外壁の表面から旧パワーコンディショナ装置と、その取付金具を撤去する工程と、外壁の表面に横架材を固定する工程と、横架材に新規のパワーコンディショナ装置を、その取付金具を介して取り付ける工程とから成る構成とされている。
【００２１】
上記した構成なので、旧パワーコンディショナ装置が取り付けられていた位置に新規のパワーコンディショナ装置を取り付ければ、経年変化で周囲と色が異なるようになったのも隠れるため、特段の補修をしないで済む。また、旧パワーコンディショナ装置を固定するためにビスを螺合していた穴は避けて横架材を固定するため、新規のパワーコンディショナ装置を、安定した固定強度で固定することができる。
【００２２】
そのうえ、横架材の存在によりできたパワーコンディショナ装置の裏面のスペースで排熱が行えるので、新規のパワーコンディショナ装置として、旧式のパワーコンディショナ装置よりも多機能になり、より排熱量が多い新式のパワーコンディショナ装置を取り付ける際に特に好適である。
【００２３】
ここで、横架材は、垂直方向に間隔をあけて、少なくとも２つ設ける場合は、交換した新規のパワーコンディショナ装置の取付強度が増すとともに、横架材間に排熱するスペースを確保することができる。
【００２４】
また、外壁の表面の旧パワーコンディショナ装置の配線用の孔を塞ぎ部材で塞いだ後に、横架材を固定し、塞ぎ部材を覆うように新規のパワーコンディショナ装置を取り付ける場合は、塞ぎ部材で防水できるうえに、塞ぎ部材は、新規のパワーコンディショナ装置で隠れるので、特段、美観を確保する処理を行う必要が無い。
【００２５】
さらに、外壁における新規のパワーコンディショナ装置を取り付ける位置の近傍に、新規の配線用の孔を設ける場合は、特に、旧式のパワーコンディショナ装置に比べて、多機能となって配線が多くなる新式のパワーコンディショナ装置の配線にも対応することができる。
【００２６】
また、外壁が、タイル外壁で、横架材は、固定部材により、このタイル外壁の目地部分に固定する場合は、固定部材は、タイル外壁のタイル部分で固定されると、亀裂が入ってしまうが、この弊害を防止することができる。
【００２７】
さらに、固定部材を固定するタイル外壁の目地部分の裏面には、枠材が設けられており、固定部材を、枠材まで貫通させて固定する場合は、横架材をより強固に固定することができる。
【００２８】
また、横架材には、固定部材を通すための孔が設けられたものを用いる場合は、固定部材の先端部分が、横架材の孔に通した状態で固定作業を行えるので、固定部材を確実にタイル外壁の目地部分に固定することができる。
【００２９】
このような本発明のパワーコンディショナ装置の取付構造は、太陽光発電システムを備えた建物の外壁の表面に横架材が固定され、横架材にパワーコンディショナ装置が、その取付金具を介して取り付けられた構成とされている。
【００３０】
上記した構成なので、横架材の存在によりできたパワーコンディショナ装置の裏面のスペースで排熱が行えるので、旧式のパワーコンディショナ装置よりも多機能になり、より排熱量が多い新式のパワーコンディショナ装置を取り付ける際に特に好適である。
【００３１】
ここで、横架材は、垂直方向に間隔をあけて、少なくとも２つ設けられている場合は、パワーコンディショナ装置の取付強度が増すとともに、横架材間に排熱するスペースを確保することができる。
【００３２】
また、外壁におけるパワーコンディショナ装置が取り付けられた位置の近傍に、配線用の孔が設けられている場合は、特に、旧式のパワーコンディショナ装置に比べて、多機能となって配線が多くなる新式のパワーコンディショナ装置の配線にも対応することができる。
【００３３】
さらに、外壁は、タイル外壁であり、横架材は、固定部材により、タイル外壁の目地部分に固定されている場合は、固定部材は、タイル外壁のタイル部分で固定されると、亀裂が入ってしまうが、この弊害を防止することができる。
【００３４】
また、固定部材を固定するタイル外壁の目地部分の裏面には、枠材が設けられており、固定部材は、枠材まで貫通させて固定されている場合は、横架材をより強固に固定することができる。
【００３５】
さらに、横架材には、固定部材を通すための孔が設けられたものが用いられている場合は、固定部材の先端部分が、横架材の孔に通した状態で固定作業を行えるので、固定部材を確実にタイル外壁の目地部分に固定することができる。
【図面の簡単な説明】
【００３６】
【図１】実施例１の太陽光発電システムを備えた建物の概略構成を示す説明図である。
【図２】実施例１の太陽光発電システムを備えた建物におけるパワーコンディショナ装置の交換方法の完成図であって、実施例１のパワーコンディショナ装置の取付構造の概略構成を示す説明図である。
【図３】実施例１の太陽光発電システムを備えた建物におけるパワーコンディショナ装置の交換方法において、旧パワーコンディショナ装置とその取付金具を撤去した段階を示す図である。
【図４】実施例１の太陽光発電システムを備えた建物におけるパワーコンディショナ装置の交換方法において、旧パワーコンディショナ装置の配線用の孔を塞ぎ部材で塞ぎ、外壁に新規の配線用の孔を設けた段階を示す図である。
【図５】実施例１の太陽光発電システムを備えた建物におけるパワーコンディショナ装置の交換方法において、横架材を固定し、横架材に新規のパワーコンディショナ装置の取付金具を固定するとともに、新規の配線用の孔を防水ボックスで塞いだ段階を示す図である。
【図６】実施例２の太陽光発電システムを備えた建物におけるパワーコンディショナ装置の交換方法の完成図であって、実施例２のパワーコンディショナ装置の取付構造の概略構成を示す説明図である。
【図７】実施例３のパワーコンディショナ装置の取付構造の概略構成を示す説明図である。
【発明を実施するための形態】
【００３７】
以下、本発明を実施するための形態を、図面に示す実施例１〜３に基づいて説明する。
【実施例１】
【００３８】
先ず、実施例１の構成について説明する。
【００３９】
図１は、実施例１の太陽光発電システムを備えた建物１の概略構成を示している。
【００４０】
この建物１は、屋根１ａの上に太陽光発電装置としての太陽光発電モジュールパネル２が設置されている。
【００４１】
また、この建物１の外壁１ｂの表面には、パワーコンディショナ装置３が取り付けられている。
【００４２】
なお、この建物１は、複数の建物ユニットから成るユニット建物であり、外壁１ｂと内壁との間の隙間空間を利用して、太陽光発電モジュールパネル２とパワーコンディショナ装置３とが、配線４で接続されている。
【００４３】
そして、図示は省略したが、パワーコンディショナ装置３は、建物１内部の分電盤とも配線で接続されており、太陽光発電モジュールパネル２で発電した電力を、建物１内で消費可能となっている。
【００４４】
次に、実施例１の太陽光発電システムを備えた建物におけるパワーコンディショナ装置の交換方法について説明する。
【００４５】
この実施例１の太陽光発電システムを備えた建物におけるパワーコンディショナ装置の交換方法は、図２に示したように、太陽光発電モジュールパネル２で発電した電力を建物１内のみで消費するタイプに対応した旧式のパワーコンディショナ装置３から、電力会社への売電が可能、且つ、建物１に設置した蓄電池に太陽光発電モジュールパネル２で発電された電力を蓄電することも可能なタイプに対応した新式のパワーコンディショナ装置３０へ交換する方法である。
【００４６】
まず、旧パワーコンディショナ装置であるパワーコンディショナ装置３と、その取付金具を撤去すると、図３に示したように、パワーコンディショナ装置３の配線用の孔１ｃがあいた状態となる。
【００４７】
続いて、図４に示したように、この配線用の孔１ｃを、薄板状の塞ぎ部材５で塞ぐとともに、その上側と右側に、新規の配線用の孔１ｄ，１ｅを設ける。
【００４８】
続いて、図５に示したように、外壁１ｂの表面の旧パワーコンディショナ装置であるパワーコンディショナ装置３が取り付けられていた位置に、垂直方向に間隔をあけて、２つの横架材６，６を固定して設ける。
【００４９】
また、２つの横架材６，６には、新規の取付金具７を、ビス７ａ，・・・で固定する。
【００５０】
さらに、その上側と右側とに設けた新規の配線用の孔１ｄ，１ｅは、防水ボックス８ａ，８ｂを被せて塞ぐ。
【００５１】
なお、建物１の外壁１ｂはタイル外壁であり、横架材６，６は、ビス孔を有し、このタイル外壁の目地部分に固定部材としてのビス１０，・・・により固定されている。
【００５２】
また、この固定部材としてのビス１０，・・・が固定されるタイル外壁の目地部分の裏面には、外壁１ｂを補強する枠材９が設けられており、ビス１０，・・・は、この枠材９まで貫通させて固定する。
【００５３】
最後に、新規のパワーコンディショナ装置であるパワーコンディショナ装置３０を取り付け、配線１１ａ，１１ｂ，１１ｃ，１１ｄを配線すると、図２に示したように、実施例１の太陽光発電システムを備えた建物におけるパワーコンディショナ装置の交換方法の交換作業が終わり、実施例１のパワーコンディショナ装置の取付構造となる。
【００５４】
なお、配線１１ａは、パワーコンディショナ装置３０と新たに設置した図示省略の蓄電池とを防水ボックス８ｂを介して接続するものである。
【００５５】
また、配線１１ｂ，１１ｄは、パワーコンディショナ装置３０と太陽光発電装置としての太陽光発電モジュールパネル２とを防水ボックス８ａ，８ｂを介して接続するものである。
【００５６】
さらに、配線１１ｃは、パワーコンディショナ装置３０と図示省略の分電盤とを防水ボックス８ｂを介して接続するものである。
【００５７】
次に、実施例１の作用効果について説明する。
【００５８】
このような実施例１の太陽光発電システムを備えた建物におけるパワーコンディショナ装置の交換方法は、太陽光発電システムを備えた建物１の外壁１ｂの表面から旧パワーコンディショナ装置であるパワーコンディショナ装置３と、その取付金具を撤去する工程と、外壁１ｂの表面に横架材６，６を固定する工程と、横架材６，６に新規のパワーコンディショナ装置であるパワーコンディショナ装置３０を、その取付金具７を介して取り付ける工程とから成る構成とされている。
【００５９】
上記した構成なので、旧パワーコンディショナ装置であるパワーコンディショナ装置３が取り付けられていた位置に新規のパワーコンディショナ装置であるパワーコンディショナ装置３０を取り付ければ、経年変化で周囲と色が異なるようになったのも隠れるため、特段の補修をしないで済む。また、旧パワーコンディショナ装置３を固定するために螺合していたビスの穴は避けて横架材６，６を固定部材としてのビス１０，・・・で固定するため、新規のパワーコンディショナ装置３０を、安定した固定強度で固定することができる。
【００６０】
そのうえ、横架材６，６の存在によりできたパワーコンディショナ装置３０の裏面のスペースで排熱が行えるので、新規のパワーコンディショナ装置として、旧式のパワーコンディショナ装置であるパワーコンディショナ装置３よりも多機能になり、より排熱量が多い新式のパワーコンディショナ装置であるパワーコンディショナ装置３０を取り付ける際に特に好適である。
【００６１】
ここで、横架材６は、垂直方向に間隔をあけて、２つ設ける。
【００６２】
このため、交換した新規のパワーコンディショナ装置であるパワーコンディショナ装置３０の取付強度が増すとともに、横架材６，６間に排熱するスペースを確保することができる。
【００６３】
また、外壁１ｂの表面の旧パワーコンディショナ装置であるパワーコンディショナ装置３の配線用の孔１ｃを塞ぎ部材５で塞いだ後に、横架材６，６を固定し、塞ぎ部材５を覆うように新規のパワーコンディショナ装置であるパワーコンディショナ装置３０を取り付ける。
【００６４】
このため、塞ぎ部材５で防水できるうえに、塞ぎ部材５は、新規のパワーコンディショナ装置であるパワーコンディショナ装置３０で隠れるので、特段、美観を確保する処理を行う必要が無い。
【００６５】
さらに、外壁１ｂにおける新規のパワーコンディショナ装置であるパワーコンディショナ装置３０を取り付ける位置の近傍に、新規の配線用の孔１ｄ，１ｅを設ける。
【００６６】
このため、特に、旧式のパワーコンディショナ装置であるパワーコンディショナ装置３に比べて、多機能となって配線が多くなる新式のパワーコンディショナ装置であるパワーコンディショナ装置３０の配線にも対応することができる。
【００６７】
また、外壁１ｂは、タイル外壁であり、横架材６，６は、固定部材としてのビス１０，・・・により、タイル外壁の目地部分に固定する。
【００６８】
このため、固定部材としてのビス１０，・・・は、タイル外壁のタイル部分で固定されると、亀裂が入ってしまうが、この弊害を防止することができる。
【００６９】
さらに、固定部材としてのビス１０，・・・を固定するタイル外壁の目地部分の裏面には、枠材９が設けられており、固定部材としてのビス１０，・・・を、枠材９まで貫通させて固定する。
【００７０】
このため、横架材６，６をより強固に固定することができる。
【００７１】
また、横架材６，６には、固定部材としてのビス１０，・・・を通すためのビス孔が設けられたものを用いる。
【００７２】
このため、固定部材としてのビス１０，・・・の先端部分が、横架材６のビス孔に通した状態で固定作業を行えるので、固定部材を確実にタイル外壁の目地部分に固定することができる。
【００７３】
このような実施例１のパワーコンディショナ装置の取付構造は、太陽光発電システムを備えた建物１の外壁１ｂの表面に横架材６，６が固定され、横架材６，６にパワーコンディショナ装置３０が、その取付金具７を介して取り付けられた構成とされている。
【００７４】
上記した構成なので、横架材６，６の存在によりできたパワーコンディショナ装置３０の裏面のスペースで排熱が行えるので、旧式のパワーコンディショナ装置であるパワーコンディショナ装置３よりも多機能になり、より排熱量が多い新式のパワーコンディショナ装置であるパワーコンディショナ装置３０を取り付ける際に特に好適である。
【００７５】
ここで、横架材６は、垂直方向に間隔をあけて、設けられている。
【００７６】
このため、パワーコンディショナ装置３０の取付強度が増すとともに、横架材６，６間に排熱するスペースを確保することができる。
【００７７】
また、外壁１ｂにおけるパワーコンディショナ装置３０が取り付けられた位置の近傍に、配線用の孔１ｄ，１ｅが設けられている。
【００７８】
このため、特に、旧式のパワーコンディショナ装置であるパワーコンディショナ装置３に比べて、多機能となって配線が多くなる新式のパワーコンディショナ装置であるパワーコンディショナ装置３０の配線にも対応することができる。
【００７９】
さらに、外壁１ｂは、タイル外壁であり、横架材６，６は、固定部材としてのビス１０，・・・により、タイル外壁の目地部分に固定されている。
【００８０】
このため、固定部材としてのビス１０，・・・は、タイル外壁のタイル部分で固定されると、亀裂が入ってしまうが、この弊害を防止することができる。
【００８１】
また、固定部材としてのビス１０，・・・を固定するタイル外壁の目地部分の裏面には、枠材９が設けられており、固定部材としてのビス１０，・・・は、枠材９まで貫通させて固定されている。
【００８２】
このため、横架材６，６をより強固に固定することができる。
【００８３】
さらに、横架材６，６には、固定部材としてのビス１０，・・・を通すためのビス孔が設けられたものが用いられている。
【００８４】
このため、固定部材としてのビス１０，・・・の先端部分が、横架材６のビス孔に通した状態で固定作業を行えるので、固定部材としてのビス１０，・・・を確実にタイル外壁の目地部分に固定することができる。
【実施例２】
【００８５】
次に、実施例２について説明する。
【００８６】
なお、実施例１で説明した内容と同一乃至均等な部分の説明については同一符号を付して説明する。
【００８７】
図６は、実施例２の太陽光発電システムを備えた建物におけるパワーコンディショナ装置の交換方法の完成図であって、実施例２のパワーコンディショナ装置の取付構造の概略構成を示している。
【００８８】
この実施例２では、建物１の屋根１ａの上に、太陽光発電装置としての太陽光発電モジュールパネル２を増設し、この増設した太陽光発電モジュールパネル２とパワーコンディショナ装置３０とを接続するために、配線１１ｅを設けたことが実施例１と主に異なる。
【００８９】
なお、他の構成及び作用効果については、実施例１と略同様であるので説明を省略する。
【実施例３】
【００９０】
次に、実施例３について説明する。
【００９１】
なお、実施例１で説明した内容と同一乃至均等な部分の説明については同一符号を付して説明する。
【００９２】
図７は、実施例３のパワーコンディショナ装置の取付構造の概略構成を示している。
【００９３】
この実施例３では、建物１の屋根１ａの上に、太陽光発電装置としての太陽光発電モジュールパネル２を新たに設置し、図示省略の蓄電池も新たに設置して、新たに太陽光発電システムを備える建物１であり、この新たに設置した太陽光発電モジュールパネル２とパワーコンディショナ装置３０とを接続するために、配線１１ａの代わりに配線１１ｆを設けたことが実施例１と主に異なる。
【００９４】
なお、他の構成及び作用効果については、実施例１と略同様であるので説明を省略する。
【００９５】
以上、図面を参照して、本発明を実施するための形態を実施例１〜３に基づいて詳述してきたが、具体的な構成は、これら実施例１〜３に限らず、本発明の要旨を逸脱しない程度の設計的変更は、本発明に含まれる。
【００９６】
例えば、上記した実施例１〜３では、建物１を、ユニット建物として実施したが、これに限定されず、軸組建物等のその他の建物で実施してもよい。
【００９７】
また、上記した実施例１〜３では、タイル外壁の外壁１ｂで実施したが、これに限定されず、その他の外壁で実施してもよい。
【符号の説明】
【００９８】
１      建物
１ａ    建物の屋根
１ｂ    建物の外壁
１ｃ    旧パワーコンディショナ装置の配線用の孔
１ｄ    新規のパワーコンディショナ装置の配線用の孔
１ｅ    新規のパワーコンディショナ装置の配線用の孔
２      太陽光発電モジュールパネル（太陽光発電装置）
３      パワーコンディショナ装置（旧パワーコンディショナ装置）
３０    パワーコンディショナ装置（新規のパワーコンディショナ装置）
４      配線
５      塞ぎ部材
６      横架材７      取付金具
７ａ    ビス
８ａ    防水ボックス
８ｂ    防水ボックス
９      枠材
１０    ビス（固定部材）
１１ａ  配線
１１ｂ  配線
１１ｃ  配線
１１ｄ  配線
１１ｅ  配線
１１ｆ  配線
【図１】
2016174451.tif 000003
【図２】
2016174451.tif 000004
【図３】
2016174451.tif 000005
【図４】
2016174451.tif 000006
【図５】
2016174451.tif 000007
【図６】
2016174451.tif 000008
【図７】
2016174451.tif 000009